(57)【要約】【課題】  本発明は、ディスプレイ装置から送信される同期信号が他の生活家電の電磁波などによる干渉を受けても、シャッターめがねのシャッター開閉の誤動作を防止することができる新しい同期信号の送信方法及び装置を提供する。【解決手段】  本発明によるディスプレイ装置は、所定の立体映像信号をディスプレイ部で表示されるように処理する映像信号処理部と；シャッターめがねと通信する通信部と；前記シャッターめがねのシャッターが前記立体映像信号に対応して開閉されるように同期信号を生成する同期信号生成部を含み、前記生成された同期信号は、シャッターめがねの誤動作を誘発するエラーを訂正することができるエラー訂正情報が含まれ、前記同期信号生成部は、前記生成されたエラー訂正情報を含む同期信号を前記通信部を通じて前記シャッターめがねに送信することを特徴とする。【選択図】  図３
2011229115.tif 000002
【特許請求の範囲】
【請求項１】
シャッターめがねを利用するディスプレイ装置において、
所定の立体映像信号をディスプレイ部で表示されるように処理する映像信号処理部と；
シャッターめがねと通信する通信部と；
前記シャッターめがねのシャッターが前記立体映像信号に対応して開閉されるように同期信号を生成する同期信号生成部と；
を含み、
前記生成された同期信号は、シャッターめがねの誤動作を誘発するエラーを訂正することができるエラー訂正情報が含まれ、
前記同期信号生成部は、前記生成されたエラー訂正情報を含む同期信号を前記通信部を通じて前記シャッターめがねに送信することを特徴とするディスプレイ装置。
【請求項２】
前記同期信号生成部は、第１エラー訂正情報を含む第１同期信号及び第２エラー訂正情報を含む第２同期信号を所定時間の間に送信されるようにすることを特徴とする請求項１に記載のディスプレイ装置。
【請求項３】
前記第１エラー訂正情報及び第２エラー訂正情報は、前記送信される第１同期信号及び第２同期信号の間の送信時間の差を示す時間情報であることを特徴とする請求項２に記載のディスプレイ装置。
【請求項４】
前記送信される同期信号は、ＲＦ信号であることを特徴とする請求項１に記載のディスプレイ装置。
【請求項５】
前記通信部は、所定の通信帯域に含まれる少なくとも一つの通信チャンネルを通じて前記第１同期信号及び第２同期信号を送信することを特徴とする請求項２に記載のディスプレイ装置。
【請求項６】
前記通信部は、前記第１同期信号を第１通信チャンネルを通じて送信し、前記第２同期信号を第２通信チャンネルを通じて送信することを特徴とする請求項５に記載のディスプレイ装置。
【請求項７】
外部ソースから前記立体映像信号を受信する受信部をさらに含むことを特徴とする請求項１に記載のディスプレイ装置。
【請求項８】
前記映像信号処理部によって処理された立体映像信号に対応する立体映像を表示するディスプレイ部をさらに含むことを特徴とする請求項１に記載のディスプレイ装置。
【請求項９】
交番的に開閉される左側シャッター部及び右側シャッター部を含むシャッター部と；
前記通信部から送信される、前記エラー訂正情報を含む同期信号を利用して前記左側シャッター部及び右側シャッター部を選択的に開閉させる制御部と；
を含むシャッターめがねをさらに含むことを特徴とする請求項１に記載のディスプレイ装置。
【請求項１０】
前記シャッターめがねは、
前記エラー訂正情報を含む同期信号を処理する同期信号処理部をさらに含み、
前記制御部は、
前記エラー訂正情報を利用して補正された同期信号を生成するように前記同期信号処理部を制御し、前記補正された同期信号に対応して前記左側シャッター部及び右側シャッター部を選択的に開閉させることを特徴とする請求項９に記載のディスプレイ装置。
【請求項１１】
前記信号生成部は、第１エラー訂正情報を含む第１同期信号及び第２エラー訂正情報を含む第２同期信号を所定時間の間に送信し；
前記制御部は、前記第１同期信号がシャッターめがねによって受信されなければ、前記第２エラー訂正情報に従って前記補正された同期信号を生成することを特徴とする請求項１０に記載のディスプレイ装置。
【請求項１２】
前記所定の時間は、前記立体映像信号のフレームに対応することを特徴とする請求項２に記載のディスプレイ装置。
【請求項１３】
立体映像を表示するディスプレイ装置に具備される立体映像を見るためのシャッターめがねにおいて、
交番的に開閉される左側シャッター部及び右側シャッター部を含むシャッター部と；
前記左側シャッター部及び右側シャッター部の開閉を決める同期信号を処理する同期信号処理部として、前記同期信号は、シャッターめがねの誤動作を誘発するエラーを訂正するエラー訂正情報を含み；
ディスプレイ装置から前記同期信号を受信するシャッター通信部と；
ディスプレイ装置から前記同期信号を受信すれば、前記エラー訂正情報に従って補正された同期信号を生成するように前記同期信号処理部を制御し、前記補正された同期信号に対応して前記左側シャッター部及び右側シャッター部を選択的に開閉させる制御部と；
を含むことを特徴とするシャッターめがね。
【請求項１４】
前記シャッター通信部は、第１エラー訂正情報を含む第１同期信号及び第２エラー訂正情報を含む第２同期信号を前記立体映像の一つのフレームに対応する所定時間の間に受信し、
前記第１エラー訂正情報及び第２エラー訂正情報は、前記第１同期信号及び第２同期信号の間の送信される時間の差を示す時間情報を含むことを特徴とする請求項１３に記載のシャッターめがね。
【請求項１５】
前記シャッター通信部は、前記第１同期信号は第１通信チャンネルを通じて受信し、前記第２同期信号は前記第１通信チャンネルとは異なる第２通信チャンネルを通じて受信することを特徴とする請求項１４に記載のシャッターめがね。
【発明の詳細な説明】
【技術分野】
【０００１】
本発明は、３次元立体映像に対応する同期信号を生成して送信するディスプレイ装置と、前記同期信号を受信して左眼シャッター部及び右眼シャッター部が選択的に開閉されるシャッターめがねに関する。さらに詳しくは、新しい方式の同期信号を生成するディスプレイ装置及び前記同期信号を利用して選択的に開閉されるシャッターめがねに関する。
【背景技術】
【０００２】
一般的に、ディスプレイ装置は、その特性に従って２次元映像と３次元映像を表示することができる。ユーザーは、両目による視野角度が異なるので事物の３次元的立体を認知することができる。前記原理を利用して、３次元映像は、左眼映像と右眼映像に分けられてディスプレイ装置で交代で表示される。また、前記３次元映像を視聴するためには、これに対応して作動するシャッターめがね（Shutter  glasses）が具備される。
【０００３】
ディスプレイ装置が３次元映像を表示する時、ユーザーがシャッターめがねを掛ければ、左眼映像または右眼映像がフレーム単位で表示されることによってシャッターめがねがユーザーの両目を選択的に開放または遮断させる。即ち、ディスプレイ装置が左眼用映像を表示する時、シャッターめがねはユーザーの左眼のシャッターを開放させ、ディスプレイ装置が右眼用映像を表示する時、シャッターめがねはユーザーの右眼のシャッターを開放させて、ユーザーが３次元映像の立体を認知するようにする。従って、ディスプレイ装置は、前記表示されるフレームに対応してシャッターめがねの左眼シャッター及び右眼シャッターの開閉が正常に作動するように同期信号を送信する。
【０００４】
しかし、図１に示すように、従来のディスプレイ装置１００及び従来のシャッターめがね１６０の以外にも無線ラン中継期、電子レンジなど電磁波を放出する電子装置２００が共存する現在の環境では、前記従来のディスプレイ装置から送信される同期信号が干渉を受けることができる。前記同期信号の干渉によって従来のシャッターめがねのシャッター開閉に誤動作が発生される問題がある。
【発明の開示】
【発明が解決しようとする課題】
【０００５】
従って、本発明の目的は、ディスプレイ装置から送信される同期信号が他の生活家電の電磁波などによる干渉を受けても、シャッターめがねのシャッター開閉の誤動作を防止することができる新しい同期信号の送信方法及び装置を提供することである。
【課題を解決するための手段】
【０００６】
前記目的は、本発明によって、シャッターめがねを利用するディスプレイ装置において、所定の立体映像信号をディスプレイ部で表示されるように処理する映像信号処理部と；シャッターめがねのシャッターが前記立体映像信号に対応して開閉されるように同期信号を生成する同期信号生成部と；前記生成された同期信号を前記シャッターめがねに送信する通信部と；を含み、前記同期信号生成部は、前記シャッターめがねの誤動作を誘発するエラーを補正することができるエラー訂正情報が含まれる同期信号を前記通信部を通じて前記シャッターめがねに送信されるようにすることを特徴とするディスプレイ装置によって達成される。
【０００７】
前記同期信号生成部は、前記エラー訂正情報を含む複数の同期信号を所定の時間送信されるようにすることを特徴とする。
【０００８】
前記エラー訂正情報は、前記複数の同期信号の間の送信時間の差を示す時間情報であることを特徴とする。
【０００９】
前記通信部は、前記同期信号をＲＦ信号で送信することを特徴とする。
【００１０】
前記通信部は、所定の通信帯域に含まれる少なくとも一つの通信チャンネルを通じて前記同期信号を送信することを特徴とする。
【００１１】
前記通信部は、連続的に送信される少なくとも二つの同期信号は互いに異なる通信チャンネルを通じて送信することを特徴とする。
【００１２】
また、前記ディスプレイ装置は、外部から前記立体映像を受信する受信部をさらに含むことができる。
【００１３】
また、前記ディスプレイ装置は、前記映像信号処理部によって処理された立体映像を表示するディスプレイ部をさらに含むことができる。
【００１４】
また、前記ディスプレイ装置は、交番的に開閉される左側シャッター部及び右側シャッター部を含むシャッター部と；前記通信部から送信される、前記エラー訂正情報を含む同期信号を利用して前記左側シャッター部及び右側シャッター部を選択的に開閉させる制御部と；を含むシャッターめがねをさらに含むことができる。
【００１５】
前記シャッターめがねは、前記エラー訂正情報を含む同期信号を処理する同期信号処理部をさらに含み、前記制御部は、前記エラー訂正情報を利用して補正された同期信号を生成するように前記同期信号処理部を制御し、前記補正された同期信号に対応して前記左側シャッター部及び右側シャッター部を選択的に開閉させることを特徴とする。
【００１６】
また、本発明は、立体映像を表示するディスプレイ装置に具備されるシャッターめがねにおいて、交番的に開閉される左側シャッター部及び右側シャッター部を含むシャッター部と；前記左側シャッター部及び右側シャッター部の開閉を決める同期信号を処理する同期信号処理部と；ディスプレイ装置からシャッターめがねの誤動作を誘発するエラーを補正することができるエラー訂正情報を含む同期信号を受信すれば、前記エラー訂正情報を利用して補正された同期信号を生成するように前記同期信号処理部を制御し、前記補正された同期信号に対応して前記左側及び右側シャッター部を選択的に開閉させる制御部と；を含むことを特徴とするシャッターめがねをさらに提供する。
【００１７】
前記シャッターめがねは、前記ディスプレイ装置から前記同期信号を受信するシャッター通信部をさらに含むことができる。
【００１８】
前記シャッター通信部は、前記エラー訂正情報を含む複数の同期信号を所定時間の間に受信することを特徴とする。
【００１９】
前記エラー訂正情報は、前記受信される複数の同期信号が送信される時間の差を示す時間情報であることを特徴とする。
【００２０】
前記シャッター通信部は、前記同期信号をＲＦ信号で受信することを特徴とする。
【００２１】
前記シャッター通信部は、所定の通信帯域に含まれる少なくとも一つの通信チャンネルを通じて前記同期信号を受信することを特徴とする。
【００２２】
前記シャッター通信部は、前記複数の同期信号を受信する場合、連続的に受信される少なくとも二つの同期信号が互いに異なる通信チャンネルを通じて受信されることを特徴とする。
【００２３】
また、本発明は、シャッターめがねを利用するディスプレイ装置の同期信号の送信方法において、シャッターめがねの動作を誘発するエラーを補正することができるエラー訂正情報が含まれる同期信号を生成する段階と；前記生成された、エラー訂正情報が含まれる同期信号を送信する段階と；を含むことを特徴とする同期信号の送信方法を提供する。
【００２４】
前記送信段階は、前記エラー訂正情報を含む複数の同期信号を所定時間の間に送信させることを特徴とする。
【００２５】
前記エラー訂正情報は、前記送信される複数の同期信号の間の送信時間の差を示す時間情報であることを特徴とする。
【００２６】
前記送信段階は、前記同期信号をＲＦ信号で送信することを特徴とする。
【００２７】
前記送信段階は、所定の通信帯域に含まれる少なくとも一つの通信チャンネルを通じて前記同期信号を送信することを特徴とする。
【００２８】
前記送信段階は、前記複数の同期信号を送信する場合、連続的に送信される少なくとも二つの同期信号が互いに異なる通信チャンネルを通じて送信されることを特徴とする。
【００２９】
また、本発明は、シャッターめがねの制御方法において、ディスプレイ装置からシャッターめがねの誤動作を誘発するエラーを補正することができるエラー訂正情報を含む同期信号を受信する段階と；前記エラー訂正情報を利用して補正された同期信号を生成する段階と；前記補正された同期信号に対応して、左側シャッター部及び右側シャッター部を含むシャッター部を選択的に開閉する段階と；を含むことを特徴とするシャッターめがねの制御方法を提供する。
【００３０】
前記受信段階は、前記エラー訂正情報を含む複数の同期信号を所定時間の間に受信することを特徴とする。
【００３１】
前記エラー訂正情報は、前記受信される複数の同期信号が送信される時間の差を示す時間情報であることを特徴とする。
【００３２】
前記受信段階は、前記同期信号をＲＦ信号で受信することを特徴とする。
【００３３】
前記受信段階は、所定の通信帯域に含まれる少なくとも一つの通信チャンネルを通じて前記同期信号を受信することを特徴とする。
【００３４】
前記受信段階は、前記複数の同期信号を受信する場合、連続的に受信される少なくとも二つの同期信号が互いに異なる通信チャンネルを通じて受信されることを特徴とする。
【００３５】
本発明の他の実施形態に従って、同期信号生成装置において、シャッターめがねと通信する通信部と；３次元映像信号に従ってシャッターめがねのシャッター部を開閉する同期信号を生成する同期信号生成部と；を含み、前記生成された同期信号は、シャッターめがねの誤動作を誘発させるエラーを訂正するエラー訂正情報を含み、前記同期信号生成部は、前記生成されたエラー訂正情報を含む同期信号を前記通信部を通じて前記シャッターめがねに送信することを特徴とする同期信号生成装置を提供する。
【発明の効果】
【００３６】
前述のように、本発明によれば、ディスプレイ装置からシャッターめがねに送信される同期信号が周辺によって干渉されても、シャッターめがねのシャッターの開閉において誤動作が起こらないようにする方法及び装置を提供することができる。
【図面の簡単な説明】
【００３７】
【図１】従来の技術によるディスプレイ環境を示す概略図である。
【図２】本発明の一実施形態によるシャッターめがねを含むディスプレイ装置の概略図である。
【図３】本発明の一実施形態によるディスプレイ装置の制御ブロック図である。
【図４】本発明の一実施形態によるシャッターめがねの制御ブロック図である。
【図５】本発明の第４実施形態によるディスプレイ装置の動作原理を示す図である。
【図６】本発明のディスプレイ装置及びシャッターめがねの作動原理の概略図である。
【図７】本発明の一実施形態によるディスプレイ装置の同期信号の送信方法を示すフローチャートである。
【図８】本発明の一実施形態によるシャッターめがねの制御方法を示すフローチャートである。
【発明を実施するための最良の形態】
【００３８】
以下、添付図面を参照して本発明の一実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明に関しない部分は省略し、明細書の全体を通じて同一または類似な構成要素に対しては同一な参照符号を付ける。
【００３９】
図２は、本発明の一実施形態による、シャッターめがね１６０を含むディスプレイ装置１００の概略図である。
【００４０】
図面に示すように、外部から入力される映像信号を処理し、前記処理された映像信号に対応する映像を表示するディスプレイ装置１００と、ディスプレイ装置１００に表示される映像が３次元映像である場合、これに対応して作動するシャッターめがね１６０と、を含む。
【００４１】
ディスプレイ装置１００は、外部の映像供給源（図示せず）から映像信号を受信する。前記映像供給源は限定されず、ディスプレイ装置１００は、ＣＰＵ（図示せず）及びグラフィックカード（図示せず）を有して映像信号を生成してこれをローカル（local）に提供することができるコンピューター本体（図示せず）、映像信号をネットワークに提供することができるサーバー（図示せず）、空中波またはケーブルを利用して放送信号を送出することができる放送局の送出装置（図示せず）など、多様な映像供給源から映像信号が供給されることができる。
【００４２】
ディスプレイ装置１００は、外部から２次元映像信号または３次元映像信号を受信すれば、前記受信した映像信号を処理して２次元映像または３次元映像を表示する。ここで、３次元映像は、２次元映像と相違して、ユーザーの左眼に対応する左眼映像と、ユーザーの右眼に対応する右眼映像に分けられる。従って、ディスプレイ装置１００が３次元映像信号を受信すれば、これに基づいて左眼映像と右眼映像をフレーム（frame）単位で交代で表示する。この時、ディスプレイ装置１００は、前記左眼映像または右眼映像を表示するフレームに対応してシャッターめがねの左側シャッター部及び右側シャッター部を交番的に開閉させるために前記シャッターめがね１６０に同期信号を送信する。この時、本発明の一実施形態によるディスプレイ装置は、シャッターめがねの誤動作を誘発するエラーを補正することができるエラー訂正情報が含まれた同期信号をシャッターめがね１６０に送信する。
【００４３】
シャッターめがね１６０は、ディスプレイ装置１００に３次元映像が表示される場合、現在左眼映像または右眼映像の中でいずれが表示されるのかに対応してユーザーの左眼または右眼に対する視野を選択的に開放したり遮断したりする。即ち、ディスプレイ装置１００が左眼映像を表示する場合、シャッターめがね１６０は、左眼の視野を開放し右眼の視野を遮断する。反対に、ディスプレイ装置１００が右眼映像を表示する場合、シャッターめがね１６０は、右眼の視野を開放し左眼の視野を遮断する。前記シャッターめがね１６０は、左眼または右眼の視野の開放及び遮断のために、前記ディスプレイ装置１００から受信したエラー訂正情報が含まれる同期信号を利用する。
【００４４】
図３は、本発明の一実施形態によるディスプレイ装置１００の制御ブロック図である。図面に示すように、本実施形態によるディスプレイ装置１００は、受信部１１０、映像信号処理部１２０、ディスプレイ部１３０、同期信号生成部１４０及び通信部１５０を含む。
【００４５】
受信部１１０は、映像信号を受信して前記受信した映像信号を映像信号処理部１２０に伝達し、受信する映像信号の規格及びディスプレイ装置１００の具現形態に対応して多様な方式で具現されることができる。前記映像信号は、２次元映像信号または３次元映像信号を含み、音声信号、データ信号をさらに含むこともできる。
【００４６】
例えば、ディスプレイ装置１００がＴＶで具現される場合、受信部１１０は、放送送出装置から送出されるＲＦ（radio  frequency）信号を無線で受信したり、コンポジット（composite）ビデオ、コンポーネント（component）ビデオ、スーパー（super）ビデオ、ＳＣＡＲＴ、ＨＤＭＩ（high  definition  multimedia  interface）規格などによる映像信号を受信することができる。この時、受信部１１０は、アンテナ（図示せず）及び／または放送チャンネルをチューニングするチューナー（図示せず）をさらに含むことができる。
【００４７】
例えば、ディスプレイ装置１００がＰＣモニターで具現される場合、受信部１１０は、ＶＧＡ方式によるＲＧＢ信号を伝達することができるＤ−ＳＵＢや、ＤＶＩ（digital  video  interactive）規格によるＤＶＩ−Ａ（analog）、ＤＶＩ−Ｉ（integrated  digital／analog）、ＤＶＩ−Ｄ（digital）またはＨＤＭＩ規格などで具現されることができる。または、受信部１１０は、ディスプレイポート（DisplayPort）、ＵＤＩ（unified  display  interface）、及びワイヤレス（wireless）ＨＤのなかで少なくともいずれか一つで具現されることができる。
【００４８】
映像信号処理部１２０は、前記受信部１１０を通じて受信された映像信号を処理して前記処理された映像信号に対応する映像がディスプレイ部１３０で表示されるようにする。
【００４９】
映像信号処理部１２０は、映像信号に対して期設定された多様な映像処理プロセッサーを行う。前記プロセッサーの種類は限られず、例えば、多様な映像フォーマットに対応するデコーディング（decoding）及びエンコード（encoding）、デ−インタレーシング（de-interlacing）、フレームリフレッシュレート（frame  refresh  rate）変換、スケーリング（scaling）、映像画質改善のためのノイズ減少（noise  reduction）、デテールエンハンスメント（detail  enhancement）、ラインスキャニング（line  scanning）の中で少なくともいずれか一つを含むことができる。映像信号処理部１２０は、前記プロセッサーを個別的にまたは複合的に行うことができる。
【００５０】
映像信号処理部１２０は、映像信号を各フレーム別に複数の水平走査ラインで処理して前記処理された映像信号をディスプレイ部１３０に走査する。映像信号処理部１２０は、ディスプレイ部１３０の表示領域の上側から下側に映像を走査し、一つのフレームの走査が完了すれば、期設定された非走査時間以後に次のフレームの映像を走査する。映像信号処理部１２０は、受信部１１０から３次元映像に対応する映像信号が伝達されれば、左眼映像及び右眼映像それぞれに対応する映像信号を交代でディスプレイ部１３０に走査する。従って、非走査時間の間にディスプレイ部１３０には、左眼映像及び右眼映像が交代で表示される。
【００５１】
ディスプレイ部１３０は、前記映像信号処理部１２０によって処理された映像信号に対応する映像を表示する。ディスプレイ部１３０は、映像信号処理部１２０から走査された複数の水平走査ラインが垂直に配列されることによって一つの映像フレームを表示することができる。ディスプレイ部１３０は、前記映像を表示するディスプレイパネル（図示せず）を含み、前記ディスプレイパネル（図示せず）は、液晶層を含む液晶パネルまたは有機物で構成された発光層を含む有機発光パネル、プラズマ表示パネルなどを含むことができる。
【００５２】
同期信号生成部１４０は、シャッターめがね１６０のシャッターが前記映像信号に対応して開閉されるようにする同期信号を生成し、シャッターめがねの誤動作を誘発するエラーを補正することができるエラー訂正情報が含まれた同期信号を生成する。
【００５３】
ディスプレイ部１３０に表示される映像が３次元映像である場合、前記同期信号は、ディスプレイ部１３０に表示される左眼映像及び右眼映像の表示タイミング情報と同期化されたシャッター制御信号を意味する。従って、前記同期信号は、ディスプレイ部１３０に表示される３次元映像の表示周期に対応する。
【００５４】
従来技術のＴＶによると、所定のフレームレート（例えば、２４Ｈｚ、５０Ｈｚ、６０Ｈｚなど）を有する立体映像信号が受信されれば、前記フレームレートに対応してフレーム単位で同期信号を生成して送信する。例えば、６０Ｈｚのフレームレートを有する立体映像信号が受信されれば、１／６０ｓｅｃごとにフレームが変わり、前記フレームが変わる１／６０ｓｅｃごとに同期信号を生成して送信する。
【００５５】
しかし、本発明の第１実施形態によると、前記同期信号生成部１４０は、シャッターめがねの誤動作を誘発するエラーを補正することができるエラー訂正情報が含まれた同期信号を生成する。前記エラー訂正情報が含まれた同期信号を受信したシャッターめがねは、エラー訂正情報を抽出及び利用して正常な同期信号を生成することができる。
【００５６】
本発明の第２実施形態によれと、前記同期信号生成部１４０は、前記エラー訂正情報を含む複数の同期信号を所定時間の間に送信されるようにすることができる。例えば、６０Ｈｚのフレームレートを有する立体映像信号が受信されれば、１／６０ｓｅｃごとにフレームが変わり、前記１／６０ｓｅｃの間に前記エラー訂正情報を含む同期信号を複数生成して送信することができる。
【００５７】
この時、前記エラー訂正情報は、前記送信される複数の同期信号の送信時間差を示す時間情報を示す。例えば、前記フレームが変わる１／６０ｓｅｃの間に複数のエラー訂正情報を含む複数の同期信号が生成されて送信される場合、前記エラー訂正情報は、前記複数の同期信号の中で初めて生成されて送信された第１同期信号と二番目で生成されて送信された第２同期信号の間の送信時間差を示す時間情報である。従って、第１同期信号は、時間差が‘０’である時間情報であるエラー訂正情報を含み、第２同期信号は、第１同期信号及び第２同期信号の間の送信時間の差（ｔ）を示す時間情報であるエラー訂正情報を含む。
【００５８】
ここで、前記時間情報は、１／６０ｓｅｃの間に送信される複数の同期信号の中で初めて生成されて送信された第１同期信号の送信時間から起算される。例えば、第１同期信号は時間情報“０”（ｔ＝０）を含み、第２同期信号は第１同期信号及び第２同期信号の間の送信時間の差（ｔ）である時間情報を含み、第３同期信号は第１同期信号及び第３同期信号の間の送信時間の差（２ｔ）である時間情報を含み、第４同期信号は第１同期信号及び第４同期信号の間の送信時間の差（３ｔ）である時間情報を含むことができる。
【００５９】
もし、シャッターめがねが前記２ｔの時間情報を含む第３同期信号を受信すれば、前記第３同期信号から２ｔの時間情報を抽出し、前記抽出された２ｔの時間情報から前記第１同期信号の送信時間を計算して第１同期信号を完璧に復元することができる。従って、シャッターめがねは、１／６０ｓｅｃの間にディスプレイ装置から送信される複数の同期信号の中で少なくともいずれか一つが干渉現象によって損失されても、損失されなく受信した他の同期信号に含まれたエラー訂正情報（ｔ=０、ｔ、２ｔ、３ｔ、４ｔ…）から第１同期信号を完璧に復元することができるのでシャッターめがねのシャッターの誤動作を防止することができる。
【００６０】
通信部１５０は、シャッターめがね１６０と通信する。通信部１５０は、前記同期信号生成部１４０によって生成された同期信号をシャッターめがねに送信し、この時、前記同期信号をＩＲ信号、ＲＦ信号、ジグビー（Zigbee）信号などで送信することができる。例えば、本実施形態において、前記同期信号は、ＲＦ信号の形態で送信されることができる。従って、前記通信部１５０は、前記ＩＲ信号、ＲＦ信号、ジグビー（Zigbee）信号にそれぞれ対応する通信モジュールを少なくとも一つ含むことができる。
【００６１】
通信部１５０が前記同期信号をＲＦ信号で送信する場合、所定の通信帯域に含まれる少なくとも一つの通信チャンネルを通じて前記同期信号を送信する。
【００６２】
例えば、２．４ＧＨｚ帯域に含まれる少なくとも一つの通信チャンネルを通じて前記同期信号を送信する。例えば、２．４ＧＨｚ帯域に含まれるＣＨ１５、ＣＨ２０、ＣＨ２５等の通信チャンネルを通じて前記同期信号を送信することができる。
【００６３】
前記本発明の第２実施形態のように、前記エラー訂正情報を含む複数の同期信号を所定時間の間に送信する場合を例えて説明する。
【００６４】
本発明の第３実施形態によると、前記通信部１５０は、所定の通信帯域に含まれる一つの通信チャンネルを通じて前記エラー訂正情報を含む複数の同期信号を所定時間の間に送信することができる。例えば、２．４ＧＨｚ帯域に含まれるＣＨ１５を通じて前記エラー訂正情報を含む複数の同期信号を所定時間の間に送信することができる。
【００６５】
本発明の第４実施形態によると、前記通信部１５０は、所定の通信帯域に含まれる複数の通信チャンネルを通じて前記エラー訂正情報を含む複数の同期信号を所定時間の間に送信することができる。例えば、２．４ＧＨｚ帯域に含まれるＣＨ１５、ＣＨ２０及びＣＨ２５を通じて前記エラー訂正情報を含む複数の同期信号を所定時間の間に送信することができる。この時、前記通信部１５０は、前記ＣＨ１５、ＣＨ２０及びＣＨ２５を交代で利用して前記エラー訂正情報を含む複数の同期信号を所定時間の間に送信することができる。この時、前記通信部１５０は、複数の同期信号を送信する場合、連続的に送信される少なくとも二つの同期信号が互いに異なる通信チャンネルを通じて送信されることができる。
【００６６】
前記第４実施形態による場合、前記所定の通信帯域に含まれる複数の通信チャンネルを通じて前記エラー訂正情報を含む複数の同期信号を所定時間の間に送信する時、基準になるチャンネルを決めて利用することができる。例えば、フレームの変化を知らせる初めの同期信号は、常にＣＨ１５を通じて送信することができる。前記第２実施形態のように、１／６０ｓｅｃの間に第１同期信号と、第２同期信号と、第３同期信号とが送信される場合、フレームの変化を知らせる初めの同期信号である第１同期信号は、常にＣＨ１５を通じて送信することができる。
【００６７】
図４は、本発明の一実施形態によるシャッターめがね１６０の制御ブロック図である。図面に示すように、本実施形態によるシャッターめがね１６０は、シャッター通信部１６１、同期信号処理部１６２、制御部１６３、左側シャッター部１６４ａ及び右側シャッター部１６４ｂを含むシャッター部１６４を含む。
【００６８】
シャッター通信部１６１は、ディスプレイ装置１００から送信されるシャッターめがねの誤動作を誘発するエラーを補正することができるエラー訂正情報を含む同期信号を受信して制御部１６３に前記受信したエラー訂正情報を含む同期信号を伝達する。これは、前記本発明の第１実施形態に対応するディスプレイ装置から送信された同期信号を受信することである。
【００６９】
また、前記エラー訂正情報を含む複数の同期信号を所定時間の間に受信する。これは前記本発明の第２実施形態に対応するディスプレイ装置から送信された同期信号を受信することである。従って、前記エラー訂正情報は、前記第２実施形態で説明したので、ここではその説明を省略する。
【００７０】
前記シャッター通信部１６１は、前記ディスプレイ装置１００の通信部１５０に対応され、通信部１５０から送信されるエラー訂正情報を含む同期信号を受信する。前記同期信号は、ＩＲ信号、ＲＦ信号、ジグビー信号などを含む。例えば、本実施形態において、前記同期信号は、ＲＦ信号の形態で受信することができる。従って、前記シャッター通信部１６１は、ＩＲ信号、ＲＦ信号、ジグビー信号それぞれに対応する通信モジュールの中で少なくともいずれか一つを含むことができる。
【００７１】
前記シャッター通信部１６１は、所定の通信帯域に含まれる少なくとも一つの通信チャンネルを通じて前記同期信号を受信する。これは前記本発明の第３または第４実施形態に対応するディスプレイ装置から送信される同期信号を受信することである。
【００７２】
前記シャッター通信部は、前記複数の同期信号を受信する場合、連続的に受信される少なくとも二つの同期信号が互いに異なる通信チャンネルを通じて受信する。これは前記本発明の第４実施形態に対応するディスプレイ装置から送信される同期信号を受信することである。
【００７３】
同期信号処理部１６２は、前記シャッター通信部１６１から受信した、エラー訂正情報を含む同期信号を処理する。即ち、前記信号からエラー訂正情報を抽出し、前記抽出した情報を利用して補正された同期信号を生成する。
【００７４】
前記本発明の第２実施形態を通じて説明すると、前記ｔの時間情報を含む第２同期信号を受信すれば、前記第２同期信号からｔの時間情報を抽出し、前記抽出されたｔの時間情報から前記第１同期信号の送信時間を計算して第１同期信号を完璧に復元することができる。従って、１／６０ｓｅｃの間に初めて生成されて送信された第１同期信号が干渉現象によって受信されなくても、後に受信された第２同期信号、第３同期信号、第４同期信号などから前記原理によって前記第１同期信号を完璧に復元（または、生成）することができるので、シャッターめがねのシャッターの誤動作を防止することができる。
【００７５】
制御部１６３は、ディスプレイ装置からシャッターめがねの誤動作を誘発するエラーを補正することができるエラー訂正情報を含む同期信号を受信すれば、前記エラー訂正情報を利用して補正された同期信号を生成するように前記同期信号処理部１６２を制御し、前記補正された同期信号に対応して後述するシャッター部１６４を選択的に開閉させる。
【００７６】
図５は、本発明の第４実施形態によるディスプレイ装置の動作原理を示す図である。
【００７７】
第４実施形態によるディスプレイ装置が、例えば６０Ｈｚのフレームレートを有する映像信号を受信すれば、同期信号生成部１４０は、一つのフレームが表示される１／６０ｓｅｃの間に、エラー訂正情報を含む複数の同期信号を複数の通信チャンネル（例えば、２．４ＧＨｚ帯域に含まれるＣＨ１５、ＣＨ２０、ＣＨ２５）に交代で送信することができる。従って、所定のフレームの初めのタイミング情報を含む第１同期信号はＣＨ１５に送信し、前記第１同期信号にエラー訂正情報（即ち、第１同期信号の送信時間と第２同期信号の送信時間の差＝ｔ）を含む第２同期信号はＣＨ２０に送信し、前記第１同期信号にエラー訂正情報（即ち、第１同期信号の送信時間と第３同期信号の送信時間の差＝２ｔ）を含む第３同期信号はＣＨ２５に送信することができる。
【００７８】
この時、前記所定フレームの初めのタイミング情報を含む第１同期信号は、常にＣＨ１５に送信されるようにすることができる。
【００７９】
また、連続的に送信される二つの同期信号は、互いに異なる通信チャンネルを通じて送信されるようにすることができる。
【００８０】
図６は、本発明のディスプレイ装置及びシャッターめがねの作動原理を示す概略図である。
【００８１】
本発明の前記第１乃至第４実施形態によるディスプレイ装置１００は、エラー訂正情報を含む複数の同期信号を所定の時間（例えば、一つのフレームがディスプレイ部に走査される時間）にシャッターめがね１６０に送信する。
【００８２】
この時、前記送信される複数の同期信号の中でいずれか一つが無線ラン等の外部装置２００の無線信号によって干渉を受けて損失される場合、シャッターめがね１６０は、前記受信された複数の同期信号の中で損失されない同期信号からエラー訂正情報を抽出し、抽出されたエラー訂正情報を利用して補正された同期信号を生成してシャッターめがね１６０のシャッター開閉に利用することによって、シャッターめがねの誤動作が発生しない。
【００８３】
図７は、本発明の実施形態によるディスプレイ装置の同期信号の生成方法を示すフローチャートである。
【００８４】
本発明の実施形態によるディスプレイ装置１００の同期信号の生成方法は、エラー訂正情報が含まれる同期信号を生成する段階（Ｓ１１）と前記生成されたエラー訂正情報が含まれた同期信号を送信する段階（Ｓ１２）を含む。
【００８５】
前記送信段階（Ｓ１２）は、前記生成されたエラー訂正情報が含まれた複数の同期信号を送信することを含む。前記送信段階（Ｓ１２）は、前記同期信号をＲＦ信号で送信することを含む。前記送信段階（Ｓ１２）は、前記生成されたエラー訂正情報が含まれた同期信号を所定の通信帯域に含まれる少なくとも一つの通信チャンネルを通じて送信することを含む。前記送信段階（Ｓ１２）は、前記複数の同期信号を送信する場合、連続的に送信される少なくとも二つの同期信号が互いに異なる通信チャンネルを通じて送信されることを含む。
【００８６】
図８は、本発明の実施形態によるシャッターめがねの制御方法を示すフローチャートである。
【００８７】
本発明の実施形態によるシャッターめがねの制御方法は、ディスプレイ装置１００からエラー訂正情報が含まれる同期信号を受信する段階（Ｓ２１）と；前記受信したエラー訂正情報が含まれた同期信号からエラー訂正情報を利用して補正された同期信号を生成する段階（Ｓ２２）と；前記補正された同期信号に対応してシャッター部１６４を選択的に開閉する段階（Ｓ２３）と；を含む。
【００８８】
前記受信段階（Ｓ２１）は、前記エラー訂正情報を含む複数の同期信号を所定時間の間に受信することを含む。前記受信段階（Ｓ２１）は、前記同期信号をＲＦ信号で受信することを含む。前記受信段階（Ｓ２１）は、所定の通信帯域に含まれる少なくとも一つの通信チャンネルを通じて前記同期信号を受信することを含む。前記受信段階（Ｓ２１）は、前記複数の同期信号を受信する場合、連続的に受信される少なくとも二つの同期信号が互いに異なる通信チャンネルを通じて受信されることを含む。
【００８９】
前記前述した実施形態を通じて同期信号を生成するディスプレイ装置１００に対して記載したのに、これは本発明を制限しない。例えば、他の実施形態によって独立装置（stand  alone  device）がエラー訂正情報を含む同期信号を生成してシャッターめがね１６０に送信することができる。
【００９０】
ここに制限されないが、コンピューター判読可能な記録媒体上にコンピューター判読可能なコードの実施形態を提供することができる。前記コンピューター判読可能な記録媒体は、コンピューターシステムによって判読可能なデータを保存することができるいずれのデータ保存装置を含む。例えば、コンピューター判読可能な記録媒体は、ＲＯＭ、ＲＡＭ、ＣＯ−ＲＯＭｓ、磁気テープ、フロッピー（登録商標）ディスク、光学データ保存装置を含む。コンピューター判読可能な記録媒体は、またネットワーク・カップルコンピューターシステムに配布されてコンピューター判読可能なコードが保存されて配布された形態で実行されることができる。また搬送波のようにコンピューター判読可能な送信媒体で送信されたコンピュータープログラムとして使用され、受信されてプログラムを実行する一般目的または特別目的デジタルコンピューターで実行される実施形態を提供することができる。また、ディスプレイ装置１００の一つ以上のユニットまたはシャッターめがね１６０は、コンピューター判読可能な媒体に保存されたコンピュータープログラムを行うプロセッサーまたはマイクロプロセッサーを含むことができる。
【００９１】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定まれる。
【図１】
2011229115.tif 000003
【図２】
2011229115.tif 000004
【図３】
2011229115.tif 000005
【図４】
2011229115.tif 000006
【図５】
2011229115.tif 000007
【図６】
2011229115.tif 000008
【図７】
2011229115.tif 000009
【図８】
2011229115.tif 000010